(57)【要約】【課題】研修医が検査を適切に実施したか否かを判定する機能を備えたシステムを提供する。【解決手段】実施情報記憶部３２は、医師が実施した検査の実施情報を記憶する。標準範囲設定部３４は、実施情報記憶部３２に記憶された熟練医による実施情報にもとづいて、検査の実施情報の標準範囲を設定する。実施情報取得部３０は、研修医が実施した又は実施している検査の実施情報を取得する。検査判定部３６は、研修医による実施情報が、標準範囲設定部３４により設定された標準範囲から外れている場合に、研修医による検査が適切に実施されていないと判定する。通知処理部３８は、適切に実施されていないと判定した検査の実施情報に関する通知を行う。【選択図】図１
2020154339.tif 000002
【特許請求の範囲】
【請求項１】
医師が実施した検査の実施情報を記憶する実施情報記憶部と、
前記実施情報記憶部に記憶された第１医師による実施情報にもとづいて、検査の実施情報の標準範囲を設定する標準範囲設定部と、
第２医師が実施した又は実施している検査の実施情報を取得する実施情報取得部と、
第２医師による実施情報が、前記標準範囲設定部により設定された標準範囲から外れている場合に、第２医師による検査が適切に実施されていないと判定する検査判定部と、
適切に実施されていないと判定した検査の実施情報に関する通知を行う通知処理部と、
を備えることを特徴とする医療情報処理システム。
【請求項２】
検査の実施情報は、検査における所定の行為にかかった時間および／または撮影する検査画像の枚数に関する情報である、
ことを特徴とする請求項１に記載の医療情報処理システム。
【請求項３】
前記標準範囲設定部は、第１医師による複数検査の実施情報の平均値を含むように標準範囲を設定する、
ことを特徴とする請求項１または２に記載の医療情報処理システム。
【請求項４】
前記通知処理部は、第２医師による実施情報と、平均値または標準範囲とのずれに関する情報を通知する、
ことを特徴とする請求項３に記載の医療情報処理システム。
【請求項５】
検査の診断内容を入力するための入力画面を生成する画面生成部をさらに備え、
前記画面生成部が、前記検査判定部により適切に実施されていないと判定された検査の診断内容を入力するための入力画面を生成する場合、第１医師により入力された診断内容を閲覧するための閲覧ボタンを、当該入力画面に表示する、
ことを特徴とする請求項１から４のいずれかに記載の医療情報処理システム。
【発明の詳細な説明】
【技術分野】
【０００１】
本発明は、医師が検査を適切に実施したか否かを判定する機能を備えた医療情報処理システムに関する。
【背景技術】
【０００２】
特許文献１は、実際の検査時間が検査目標時間を超過した場合に、乖離理由を入力する検査超過理由画面を表示し、検査超過理由が入力されると、データベース内の検査超過理由テーブルに登録する検査マネージメントシステムを開示する。
【先行技術文献】
【特許文献】
【０００３】
【特許文献１】特開２００５−１６５６７７号公報
【発明の概要】
【発明が解決しようとする課題】
【０００４】
経験の浅い研修医は、熟練医の指導のもとで内視鏡検査を実施し、また検査レポートを作成することが理想であるが、熟練医は多忙であり、常に研修医に付き添って指導することは現実的に難しい。そのため研修医は、熟練医の付き添い無しに検査を実施して検査レポートを作成することが多い。そこで熟練医が研修医を効率的に指導でき、また研修医に対して検査の良否をシステムから知らせることで、研修医の技能向上に寄与する仕組みの構築が望まれている。
【０００５】
本発明はこうした状況に鑑みなされたものであり、その目的は、研修医が検査を適切に実施したか否かを判定する機能を備えたシステムを提供することにある。
【課題を解決するための手段】
【０００６】
上記課題を解決するために、本発明のある態様の医療情報処理システムは、医師が実施した検査の実施情報を記憶する実施情報記憶部と、実施情報記憶部に記憶された第１医師による実施情報にもとづいて、検査の実施情報の標準範囲を設定する標準範囲設定部と、第２医師が実施した又は実施している検査の実施情報を取得する実施情報取得部と、第２医師による実施情報が、標準範囲設定部により設定された標準範囲から外れている場合に、第２医師による検査が適切に実施されていないと判定する検査判定部と、適切に実施されていないと判定した検査の実施情報に関する通知を行う通知処理部と、を備える。
【０００７】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００８】
本発明によれば、研修医が検査を適切に実施したか否かを判定する機能を備えたシステムを提供できる。
【図面の簡単な説明】
【０００９】
【図１】実施例にかかる医療情報処理システムの構成を示す図である。
【図２】実施情報取得部が取得する実施情報の例を示す図である。
【図３】実施情報記憶部に記憶された検査の実施情報の例を示す図である。
【図４】標準範囲設定部により設定された標準範囲の例を示す図である。
【図５】研修医による検査実施情報の一覧画面の例を示す図である。
【図６】標準範囲とのずれに関する情報の通知例を示す図である。
【図７】不適切判定した検査に関する通知例を示す図である。
【図８】レポート入力画面の一例を示す図である。
【発明を実施するための形態】
【００１０】
図１は、本発明の実施例にかかる医療情報処理システム１の構成を示す。実施例の医療情報処理システム１は、医療施設における内視鏡検査業務を支援するためのシステムである。医療情報処理システム１は、内視鏡システム１０、管理システム２０および情報処理装置５０ａ、５０ｂを備え、それらはＬＡＮ（ローカルエリアネットワーク）などのネットワーク２によって相互接続されている。情報処理装置５０ａ、５０ｂ（以下、区別しない場合には「情報処理装置５０」と呼ぶ）はパーソナルコンピュータなどの端末装置であって、画面出力可能に表示装置７０ａ、７０ｂと接続されるが、情報処理装置５０は表示装置と一体となったラップトップコンピュータであってもよく、また携帯型タブレットであってもよい。また情報処理装置５０は、端末装置およびサーバの組合せから構成されてもよい。
【００１１】
内視鏡システム１０は、内視鏡検査室に設けられ、内視鏡１２、内視鏡処理装置１４および表示装置１６を備える。内視鏡処理装置１４には検査の開始ボタン、終了ボタンが設けられ、開始ボタンの操作により検査が開始され、終了ボタンの操作により検査が終了される。内視鏡処理装置１４は、開始ボタン、終了ボタンが操作されたタイミングで、検査開始情報、検査終了情報を管理システム２０に送信する。
【００１２】
内視鏡１２は患者の体内に挿入され、医師が内視鏡１２のレリーズスイッチを押したタイミングで体内の静止画像が撮影される。内視鏡１２は、固体撮像素子（たとえばＣＣＤイメージセンサまたはＣＭＯＳイメージセンサ）および信号処理回路を備える。固体撮像素子は入射光を電気信号に変換し、信号処理回路は、固体撮像素子により光電変換された画像データに対して、Ａ／Ｄ変換、ノイズ除去などの信号処理を施して、内視鏡処理装置１４に出力する。
【００１３】
内視鏡処理装置１４は、内視鏡システム１０全体を統括的に制御する。内視鏡処理装置１４の一つの重要な役割は、内視鏡１２により撮影された検査画像を管理システム２０に送信して、検査画像記憶部２８に記憶させることであり、もう一つの重要な役割は、内視鏡１２により取得されている映像を表示装置１６にリアルタイムで表示させることにある。
【００１４】
前者の役割において、内視鏡処理装置１４は、内視鏡１２のレリーズスイッチが押されると、内視鏡１２の撮影画像に、検査を識別するための情報（検査ＩＤ）、撮影時刻を示す撮影時刻情報とを少なくともメタデータとして付加して、検査画像データを生成する。内視鏡処理装置１４は、管理システム２０の検査画像記憶部２８に検査画像データを送信し、検査画像記憶部２８は、検査画像データを記憶する。
【００１５】
実施例の内視鏡システム１０において、検査の実施医は、内視鏡１２または別の手段から、内視鏡１２が挿入された部位に関する情報を内視鏡処理装置１４に入力でき、また所定の行為の開始および終了を入力できる。医師は内視鏡１２を操作するため、入力のインターフェースは、たとえばボタンなどの形態で内視鏡１２に設けられていることが好ましい。なお、この入力は、医師の指示を受けて検査室内の看護師が行ってもよい。
【００１６】
上部内視鏡検査において、医師は、食道、胃、十二指腸と順に観察していくが、このとき内視鏡１２を各部位に挿入するたびに、その挿入部位を内視鏡処理装置１４に入力する。内視鏡処理装置１４は、各部位への挿入時刻を検査情報として取得し、検査終了後に、管理システム２０の実施情報取得部３０に送信する。内視鏡１２が食道、胃、十二指腸に挿入された時刻を検査情報として記録することで、実施情報取得部３０は、各部位の観察時間を取得できるようになる。
【００１７】
下部内視鏡検査は、肛門から大腸の最深部（盲腸）まで内視鏡１２を挿入し、盲腸から内視鏡１２を抜きながら大腸の粘膜面を観察する検査であるが、医師は、盲腸まで内視鏡１２を挿入したときに、盲腸に到達したことを内視鏡処理装置１４に入力する。これにより内視鏡処理装置１４は、盲腸に到達した時刻を検査情報として記録し、検査終了後に実施情報取得部３０に送信する。
【００１８】
またＥＲＣＰ（内視鏡的逆行性胆管膵管造影）は、十二指腸まで内視鏡１２を入れ、その先端からカテーテルを膵管・胆管の中に挿入して、胆管・膵管を造影する検査であるが、カテーテルを挿入するとき、またカテーテルを抜くときに、医師は、その旨を内視鏡処理装置１４に入力する。内視鏡処理装置１４は、カテーテルの挿入時刻、抜去時刻を検査情報として記録し、検査終了後に実施情報取得部３０に送信する。これにより実施情報取得部３０は、カニュレーション時間（カテーテルが挿入されていた時間）を取得できるようになる。
【００１９】
内視鏡処理装置１４は、各検査において入力された検査情報を、検査ＩＤに紐付けて管理システム２０の実施情報取得部３０に送信する。実施情報取得部３０は、受信した検査情報から、検査の実施情報を取得し、実施情報記憶部３２に記憶する。
【００２０】
管理システム２０は、登録部２２、オーダ情報記憶部２４、検査結果記憶部２６、検査画像記憶部２８、実施情報取得部３０、実施情報記憶部３２、標準範囲設定部３４、検査判定部３６および通知処理部３８を備える。オーダ情報記憶部２４は、内視鏡検査のオーダ情報を記憶する。検査結果記憶部２６は、内視鏡検査の検査結果を記憶し、具体的には、患者情報や検査種別情報、検査を実施した医師の識別情報（医師ＩＤ）などの検査オーダ情報に紐づけて、情報処理装置５０で作成されたレポート情報を記憶する。レポート情報には、医師が入力した診断内容などの診断結果や、撮影された検査画像の中から選択されたレポート添付画像、レポート添付画像に関するコメント等が含まれる。
【００２１】
検査画像記憶部２８は、内視鏡システム１０により撮影された検査画像を記憶する。検査画像記憶部２８は、大容量のＨＤＤ（ハードディスクドライブ）で構成されてもよく、またフラッシュメモリで構成されてもよい。検査画像記憶部２８は、所定の画像規格によって検査画像を記憶する画像データベースとして構成されてよい。
【００２２】
上記したように実施情報取得部３０は、内視鏡処理装置１４から検査情報を受信し、受信した検査情報から、検査の実施情報を取得する。なお内視鏡処理装置１４から受信する検査情報は、医師から入力された情報のみならず、検査の開始、終了時に内視鏡処理装置１４から送信される検査開始情報、検査終了情報も含む。実施情報取得部３０は、検査項目ごとに、検査の実施情報を定義する。実施例では検査項目として、上部内視鏡検査のスクリーニング検査、下部内視鏡検査、ＥＲＣＰの３種類を例示するが、実際には研修医が担当する可能性のある全ての検査項目が対象となる。
【００２３】
図２は、実施情報取得部３０が取得する実施情報の例を示す。実施情報取得部３０が取得する実施情報は、検査項目（観察臓器）ごとに定義されている。実施情報取得部３０は、取得した実施情報を、医師ＩＤおよび検査項目に紐付けて、実施情報記憶部３２に記憶する。なお実施例では、３種類すべての検査項目について、実施情報取得部３０が、検査画像の撮影枚数を実施情報として取得することが定められており、実施情報取得部３０は、検査画像記憶部２８に記憶された撮影枚数を調査することで、各検査の撮影枚数を取得してよい。図２において実施情報取得部３０は、撮影枚数に加えて、検査における所定の行為にかかった時間（行為時間）を、実施情報として取得することが定められている。なお検査の実施情報は、撮影枚数または行為時間のいずれか一方のみであってもよい。
【００２４】
スクリーニング検査について、実施情報取得部３０は、実施情報として、検査画像の撮影枚数および胃の観察時間を取得する。内視鏡処理装置１４は、上部内視鏡検査の検査情報として、各部位への挿入時刻を、実施情報取得部３０に送信する。実施情報取得部３０は、胃の観察時間を、「胃に挿入された時刻」と「十二指腸に挿入された時刻」の差分から求める。
【００２５】
下部内視鏡検査について、実施情報取得部３０は、実施情報として、検査画像の撮影枚数、盲腸到達時間および内視鏡挿入時間を取得する。内視鏡処理装置１４は、下部内視鏡検査の検査情報として、検査開始時刻、盲腸に到達した時刻、検査終了時刻を、実施情報取得部３０に送信する。実施情報取得部３０は、盲腸到達時間を、「盲腸に到達した時刻」と「検査開始時刻」の差分から求める。また実施情報取得部３０は、内視鏡挿入時間を、「検査終了時刻」と「検査開始時刻」の差分から求める。
【００２６】
ＥＲＣＰについて、実施情報取得部３０は、実施情報として、検査画像の撮影枚数およびカニュレーション時間を取得する。内視鏡処理装置１４は、ＥＲＣＰの検査情報として、カテーテルの挿入時刻、カテーテルの抜去時刻を、実施情報取得部３０に送信する。実施情報取得部３０は、カニュレーション時間を、「カテーテルの抜去時刻」と「カテーテルの挿入時刻」の差分から求める。
【００２７】
以上のように実施情報取得部３０は、内視鏡処理装置１４から送信される検査情報をもとに、医師が実施した検査の実施情報を取得し、実施情報記憶部３２に記憶させる。実施情報記憶部３２は、医師ＩＤに紐付けて、検査の実施情報を記憶する。
【００２８】
図３は、実施情報記憶部３２に記憶された医師Ｂ、Ｃによる検査の実施情報を示す。ここで図３は、医師Ｂ、Ｃによる検査の実施情報のみを示しているが、実施情報記憶部３２には、医療施設における全ての医師による検査の実施情報が記憶されている。
【００２９】
医療施設には、経験の浅い研修医、研修医から経験を積んで一人前となった通常医、通常医からさらに経験を積んで優れた技能を有する熟練医が存在している。上記したように実施情報記憶部３２には、研修医から熟練医まで、全ての医師による検査の実施情報が記憶される。ここで医師Ｂ、Ｃは研修医であって、熟練医による指導を受ける対象者であるものとする。
【００３０】
実施例の医療情報処理システム１は、熟練医が研修医を効率的に指導できる仕組み、および研修医が実施した検査または実施中の検査を、管理システム２０により評価する仕組みを提供する。これらの仕組みを実現するために、管理システム２０は、研修医による検査の実施情報を評価する指標を作成する。この指標は、指導医などの熟練医による過去の検査の実施情報にしたがって作成される。
【００３１】
標準範囲設定部３４は、熟練医による実施情報にもとづいて、検査の実施情報の標準範囲を設定する。ここで標準範囲は、研修医による実施情報の適切性を評価するための指標である。標準範囲設定部３４は、検査項目ごとに、熟練医による複数の検査の実施情報を実施情報記憶部３２から取得して、実施情報の平均値を求める。実施例では、熟練医である医師Ａの実施情報を利用して、標準範囲を設定することについて説明する。
【００３２】
スクリーニング検査に関して説明すると、標準範囲設定部３４は、医師Ａによる過去の複数のスクリーニング検査についての実施情報を、実施情報記憶部３２から取得する。正確な平均値を求めるために、たとえば１０回分以上の検査の実施情報を取得することが好ましい。スクリーニング検査の実施情報は、検査画像の撮影枚数と、胃の観察時間であり、標準範囲設定部３４は、複数回のスクリーニング検査における撮影枚数および観察時間の平均値を求める。
【００３３】
標準範囲設定部３４は、撮影枚数および観察時間の平均値を求めると、その前後に所定の幅をもたせて、それぞれの標準範囲を設定する。つまり標準範囲設定部３４は、複数検査の実施情報の平均値を求めると、その平均値を含むように標準範囲を設定する。スクリーニング検査における検査画像の平均撮影枚数が４０枚であったとき、その前後に、平均枚数の２０％の幅をもたせて標準範囲を設定してよい。したがって標準範囲設定部３４は、撮影枚数の標準範囲を、３２〜４８枚と設定する。同様に標準範囲設定部３４は、スクリーニング検査における観察時間の平均が５分であったとき、その前後に、平均時間の２０％の幅をもたせて、観察時間の標準範囲を４〜６分と設定する。このように標準範囲設定部３４は、各検査項目ごとに熟練医による実施情報の平均値を求め、平均値を含むように標準範囲を設定する。
【００３４】
図４は、標準範囲設定部３４により設定された標準範囲の例を示す。標準範囲設定部３４は、各検査項目について、撮影枚数および行為時間の標準範囲を設定する。標準範囲は、許容できる実施情報の範囲を規定した指標であり、研修医の実施情報が、標準範囲に含まれていれば、その実施情報に問題はないが、標準範囲から外れていれば、その実施情報は適切でない可能性があることになる。
【００３５】
医療情報処理システム１において、情報処理装置５０ａは、指導医により操作される端末装置である。指導医は、熟練医Ａと同一人物であってもよいが、医療施設において研修医である医師Ｂ、Ｃの指導を担当する役割をもつ。情報処理装置５０ａは、担当する研修医の実施情報を表示する画面を生成する実施情報画面生成部５２を備えており、指導医が情報処理装置５０ａに画面生成指示を入力すると、実施情報画面生成部５２が、研修医の実施情報の表示画面を生成して表示装置７０ａに表示する。
【００３６】
図５は、研修医による検査実施情報の一覧画面の例を示す。検査判定部３６は、研修医による実施情報が、標準範囲設定部３４により設定された標準範囲に含まれているか否かを判定する。検査判定部３６は、実施情報記憶部３２に記憶されている研修医による実施情報が、標準範囲設定部３４により設定された標準範囲から外れている場合に、研修医による検査が適切に実施されていないと判定する。
【００３７】
図５に示す検査実施情報は、図３に示す実施情報記憶部３２に記憶された検査実施情報に対応する。検査判定部３６は、検査ＩＤ「１」の医師Ｂによるスクリーニング検査において、撮影枚数（１００枚）が、標準範囲設定部３４により設定された標準範囲（３２〜４８枚）から外れていることを判定する。また検査判定部３６は、検査ＩＤ「３」の医師ＢによるＥＲＣＰにおいて、カニュレーション時間（５０分）が、標準範囲設定部３４により設定された標準範囲（２４〜３６分）から外れていることを判定する。また検査判定部３６は、検査ＩＤ「５」の医師ＢによるＥＲＣＰにおいて、撮影枚数（２０枚）が標準範囲（８〜１２枚）から外れ、カニュレーション時間（４５分）が標準範囲（２４〜３６分）から外れていることを判定する。
【００３８】
標準範囲から外れていることは、その検査が適切に実施されていない、もしくは実施されていない可能性が高いことを示す。検査ＩＤ「１」のスクリーニング検査における撮影枚数１００枚は、標準範囲と比べて多すぎる。多くの枚数を撮影することは、それだけ診断に時間を要するため、指導医は、医師Ｂに効率よいスクリーニング検査のために、撮影枚数を減らすことを指導する必要がある。また検査ＩＤ「３」、「５」のＥＲＣＰでは、カニュレーション時間が長すぎ、また検査ＩＤ「５」のＥＲＣＰでは、撮影枚数も若干多い。これらの実施情報から、指導医は、医師Ｂに技術的に未熟な面があると判断でき、次回のＥＲＣＰに医師Ｂを呼んで、カニュレーションのコツを伝えることがよいことを認識する。
【００３９】
検査判定部３６が、研修医による検査が適切に実施されていないことを判定すると、図５に示す検査実施情報の一覧画面において、通知処理部３８が、検査判定部３６が適切に実施されていないと判定した検査の実施情報に関する通知を行う。ここで通知処理部３８は、標準範囲から外れた実施情報を太字で表示し、またその表示欄を、他の表示欄と異なる色で表示している。指導医は、この一覧画面で、標準範囲から外れている実施情報を一目で認識できる。また適切に実施された検査の実施情報も一覧画面に表示することで、指導医は、研修医の得手、不得手も把握でき、不得手な検査に関して効率的に指導することが可能となる。
【００４０】
なお通知処理部３８は、適切に実施されていないと判定された検査の実施情報のみを通知するようにしてもよい。このとき通知処理部３８は、研修医による実施情報と、平均値または標準範囲とのずれに関する情報を通知するようにしてもよい。
【００４１】
図６は、標準範囲とのずれに関する情報の通知例を示す。図６に示す例では、通知処理部３８が、標準範囲と実施情報の関係をグラフ形式で示すことで、実施情報と標準範囲とのずれを通知しているが、別の形式で通知してもよい。また通知処理部３８は、熟練医の実施情報の平均値からのずれを通知してもよい。通知処理部３８がずれ量を通知することで、指導医は、指導の必要な程度を判断できる。たとえば図６に示す例では、スクリーニング検査における撮影枚数の標準範囲からの乖離量が大きく、指導医は、スクリーニング検査の指導を早急に行うべきことを認識できる。
【００４２】
上記した例では、指導医が、研修医による検査の実施情報を評価するものであったが、研修医自身が、検査中または検査終了直後に、管理システム２０によって実施情報を評価されてもよい。
【００４３】
内視鏡処理装置１４において、検査終了ボタンが操作されると、内視鏡処理装置１４は、医師により入力された検査情報を、管理システム２０の実施情報取得部３０に送信する。実施情報取得部３０は、研修医が実施した検査の実施情報を取得し、検査判定部３６は、研修医による実施情報が、標準範囲設定部３４により設定された標準範囲に含まれているか否かを判定する。通知処理部３８は、検査判定部３６により研修医による検査が適切でないと判定された場合に、当該検査の実施情報に関する通知内容を生成し、内視鏡処理装置１４に送信する。内視鏡処理装置１４は、通知処理部３８により生成された通知内容を、表示装置１６に表示する。
【００４４】
図７は、不適切判定した検査に関する通知例を示す。この例では、スクリーニング検査における撮影枚数が標準範囲を超えており、検査終了後に、内視鏡処理装置１４が、通知処理部３８により生成された通知内容を表示装置１６に表示させる。これにより研修医は、今回のスクリーニング検査で、撮影枚数が多すぎたことをただちに認識できる。
【００４５】
なお実施情報取得部３０は、検査中に、内視鏡処理装置１４から検査画像記憶部２８に送信されて記憶される検査画像の枚数をカウントしてもよい。実施情報取得部３０がカウントした枚数が標準範囲の上限（４８枚）を超えたとき、検査判定部３６は、撮影枚数が適切でないことを判定してもよい。このとき通知処理部３８は、撮影枚数が多すぎることを示す通知内容を生成して、内視鏡処理装置１４に送信し、内視鏡処理装置１４は、検査中に、表示装置１６に、通知内容を表示してもよい。
【００４６】
次に、研修医のレポート作成を補助する仕組みについて説明する。
情報処理装置５０ｂは、レポート入力画面生成部５４、診断内容受付部５６および登録処理部５８を備える。内視鏡検査の終了後、研修医である医師Ｂが情報処理装置５０ｂにログインすると、検査レポートを作成するアプリケーションが自動起動して、表示装置７０ｂには、実施済み検査の一覧が表示される。この実施済み検査一覧には、患者名、患者ＩＤ、検査日時、検査種別などの検査オーダ情報がリスト表示され、医師Ｂは、レポート作成の対象となる検査を選択する。医師Ｂが実施済みの検査一覧のなかから、検査レポートを作成する検査を選択すると、レポート入力画面生成部５４が、診断内容を入力するためのレポート入力画面を生成して、表示装置７０ｂに表示させる。
【００４７】
図８は、レポート入力画面の一例を示す。レポート入力画面の上段には、オーダ情報記憶部２４から取得した患者氏名、患者ＩＤ、生年月日、検査種別、検査日、実施医の情報が表示される。レポート入力画面は、２つの領域で構成され、左側には検査画像のサムネイルを表示する検査画像表示領域１０２が、右側には医師が診断内容等の検査結果を入力するための検査結果入力領域１１０が設けられる。
【００４８】
レポート入力画面生成部５４は、検査画像記憶部２８から取得した検査画像のサムネイル１０４ａ〜１０４ｌを、検査画像表示領域１０２に並べて表示する。検査画像表示領域１０２の右側にはスクロールバーが設けられ、医師Ｂはスクロールバーをスクロールして、検査画像の全てのサムネイルを観察できる。医師Ｂは、検査画像を観察しながら、レポートに添付する検査画像を選択する。
【００４９】
検査結果入力領域１１０は、医師が検査結果を入力するための領域であり、図示の例では、上部内視鏡検査における観察範囲である「食道」、「胃」、「十二指腸」の診断内容を入力するための領域が設けられている。なお編集ボタン１０８を操作すると、観察範囲の選択肢がメニューウィンドウ表示されて、医師が、診断対象となる観察範囲を選択できるようになっている。検査結果入力領域１１０は、検査結果の複数の選択肢を表示して、医師がチェックボックスを選択することで診断内容を入力するフォーマットを有してよいが、自由にテキスト入力するフリーフォーマットを有してもよい。
【００５０】
レポート入力画面において、医師は、検査結果入力領域１１０に診断内容を含む検査結果を入力するとともに、検査画像表示領域１０２からレポートに添付する検査画像を選択する。診断内容受付部５６は、医師がレポート入力画面に入力した診断内容を含むレポート情報を受け付ける。
【００５１】
なおレポート入力画面生成部５４が、検査判定部３６により適切に実施されていないと判定された検査のレポート入力画面を生成する場合、熟練医により入力された診断内容を閲覧するための閲覧ボタン１１６を、レポート入力画面に表示する。閲覧ボタン１１６は、同一の検査項目の検査について熟練医が作成した診断内容へのリンクボタンである。医師Ｂは閲覧ボタン１１６を操作することで、熟練医が作成した検査レポートを表示装置７０ｂに表示させることができる。
【００５２】
検査判定部３６により適切でないと判定された検査の場合、医師Ｂは、検査が不慣れなだけでなく、検査レポートの作成も不慣れであることが予想される。そこでレポート入力画面生成部５４は、閲覧ボタン１１６をレポート入力画面に含めることで、医師Ｂが熟練医の検査レポートに容易にアクセスできるようにする。なお検査判定部３６により適切であると判定された検査であれば、レポート入力画面生成部５４は、閲覧ボタン１１６をレポート入力画面に含めなくてよい。
【００５３】
医師Ｂが検査結果を入力後、登録ボタン９０を操作すると、登録処理部５８が、入力された検査結果を、管理システム２０に送信する。検査結果には、レポート入力画面に入力された診断結果、レポート添付画像として選択された検査画像などが含まれる。管理システム２０において、登録部２２は、登録処理部５８からの指示にもとづいて、診断結果、レポート添付画像を、入力した医師を識別する医師ＩＤに関連づけて、検査結果記憶部２６にレポート情報として記憶する。検査結果記憶部２６に記憶されたレポート情報は、所定のフォーマットで印刷されて、検査レポートとして利用される。
【００５４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００５５】
１・・・医療情報処理システム、１０・・・内視鏡システム、１４・・・内視鏡処理装置、１６・・・表示装置、２０・・・管理システム、３０・・・実施情報取得部、３２・・・実施情報記憶部、３４・・・標準範囲設定部、３６・・・検査判定部、３８・・・通知処理部。
【図１】
2020154339.tif 000003
【図２】
2020154339.tif 000004
【図３】
2020154339.tif 000005
【図４】
2020154339.tif 000006
【図５】
2020154339.tif 000007
【図６】
2020154339.tif 000008
【図７】
2020154339.tif 000009
【図８】
2020154339.tif 000010